(57)【要約】【課題】  湿度が高い時でも、室内気周りを余剰結露水で濡らすことがない静電霧化装置を搭載した空気調和機を提供する。【解決手段】  ペルチェ素子を有する静電霧化装置を備えた空気調和機において、前記ペルチェ素子の冷却部の下方に配設された霧化ドレン皿と、前記霧化ドレン皿に落ちた水を排出する霧化ドレン管とを備える。また、前記霧化ドレン管と室内熱交換器での凝縮水を排出する主ドレン管とを合流させる合流部を備えることを特徴とする空気調和機。【選択図】図８
2008190813.tif 000002
【特許請求の範囲】
【請求項１】
ペルチェ素子を有する静電霧化装置を備えた空気調和機において、
前記ペルチェ素子の冷却部の下方に配設された霧化ドレン皿と、
前記霧化ドレン皿に落ちた水を排出する霧化ドレン管とを備えた空気調和機。
【請求項２】
請求項１の空気調和機において、
前記霧化ドレン管と室内熱交換器での凝縮水を排出する主ドレン管とを合流させる合流部を備えることを特徴とする空気調和機。
【請求項３】
請求項２の空気調和機において、
前記合流部を室内機外に配設することを特徴とする空気調和機。
【請求項４】
圧縮機，第１室内熱交換器，除湿絞装置，第２室内熱交換器，冷暖房絞装置，室外熱交換器を順次接続した冷凍サイクルを備えた空気調和機において、
前記室外熱交換器と前記冷暖房絞装置との間の点（Ａ）と、前記第１室内熱交換器と前記除湿絞弁装置との間の点（Ｂ）とを連通する連通路と、
前記連通路に流れる冷媒流を絞ることができる霧化弁と、
前記点（Ｂ）と前記霧化弁との間に配設された結露板と、
前記結露板に結露した結露水を霧化して放出する静電霧化装置と、
前記下方に配設された霧化ドレン皿と、
前記霧化ドレン皿に落ちた水を排出する霧化ドレン管とを備えた空気調和機。
【請求項５】
請求項４において、
前記結露板と前記点（Ｂ）との間に、霧化絞装置と逆止弁とを備えた空気調和機。
【発明の詳細な説明】
【技術分野】
【０００１】
本発明は空気調和機に係り、特に静電霧化方式で室内に水分を放出する空気調和機に関する。
【背景技術】
【０００２】
空気調和機は室内空気を熱交換器に循環させて、加熱，冷却，除湿機能などにより調和空気にし、これを室内に吹出すことにより室内を空気調和する。このとき、温度，湿度の調節以外にも様々な機能を付加し、室内を清浄で、快適な空間にすることが行われている。
【０００３】
室内には、生活に付随して種々の臭いの発生源が生じ、そのあるものは鼻の臭気細胞を刺激し、臭いとして感知される。これらの臭い発生源は、気体，小液滴，微細な塵埃などであり、いずれも、放置しておくと宇宙線などにより電離した空気中のイオンなどと衝突して帯電したり、重力のため沈降したり、気流により壁に衝突したりして、室内の壁，家具，床，天井などの固定物に吸着され室内の空気中から取り除かれ、または、活性物質と遭遇し分解，変成されて、臭いは消えてしまう。しかし、分解されないで、部屋の壁や床などに吸着，沈降した臭いの発生源は、温度が上がったり、風が当ったり、掃除で舞い上がったりすると、また、室内空気に浮遊することになり、臭いを発するようになる。
【０００４】
このように、吸着などにより室内の壁などに付着している臭いの発生源を分解，変成するため、ＯＨラジカルなどの活性物質を微細な水滴に付与して、長寿命化し、臭いの発生源に遭遇させ、脱臭する試みが行われている。
【０００５】
そのひとつとして、室内に吹出す空気に静電霧化方式により帯電した微細粒の水を放出し、室内を脱臭する方法が提案されている。
【０００６】
この静電霧化方式は霧化する水が必要なため、水道配管による給水，タンクによる給水など、何らかの方法で水を確保しなくてはならない。
【０００７】
しかし、水道配管による給水では、空気調和機毎に水配管が必要になり、据付工事が大掛かりになって、家庭用の空気調和機にはそぐわない。
【０００８】
また、タンクによる給水では、家庭用の一般的な壁掛型の空気調和機の場合、空気調和機が壁の高所に取り付けられるため、給水のたびに、水の入ったタンクを空気調和機の据付けられている高所に持ち上げなければならず、給水時の使用者の負担が大きい。
【０００９】
また、水道配管にしろ、タンクにしろ、水が洩れたり、零れたりすることが全く無いとは言えず、万が一、水が洩れたり、零れたりすると、壁や床が汚れたり、染みがついたりして、その回復には多大な費用が掛かる。
【００１０】
このため、霧化水の水源として、ペルチェ素子などを使用した冷却装置の低温部に周辺の空気の水分を結露させた結露水を使用し、使用者による給水の負担をなくす工夫が提案されている（特許文献１乃至３）。
【００１１】
特許文献１は放電電極，対向電極，高電圧印加手段，水発生手段を有する浄化装置を搭載した室内機を備え、室内温度検出手段，室内湿度検出手段，吹出温度検出手段を有し、これらによって検出された各情報と、所定の運転情報とに基づいて水発生手段の出力または高電圧印加手段の出力を制御することについて開示され、これにより、最適な水供給量及び高電圧の印加量を与えることが開示されている。
【００１２】
特許文献２には、放電電極と対向電極と水供給手段とからなると共に、放電電極と対向電極との間に高電圧を印加することで放電電極に保持されている水を静電霧化させる静電霧化手段を有することが開示され、室内の高いところに設置される空気調和機でも、静電霧化装置への水の供給に手間がかかったりすること無く自動的に水を供給することができる旨開示されている。
【００１３】
特許文献３は静電霧化ユニットと、ペルチェ素子と、ペルチェ素子駆動電源と、高電圧電源ユニットと、吸込み温度検出手段と、吸込み湿度検出手段と、ペルチェ冷却面温度測定手段と、高電圧電極と、対向電極と、静電霧化状態検出手段を有し、吸込み温度検出手段と湿度検出手段の検出結果に基づいて、ペルチェ素子駆動電源及び高電圧電源を制御することが開示され、これにより無給水で静電霧化による室内空気の脱臭や室内壁面等の付着物の脱臭を行うことができる旨開示されている。
【００１４】
【特許文献１】特開２００６−０２９６６３号公報
【特許文献２】特開２００６−２３４２４５号公報
【特許文献３】特開２００６−１４９５３８号公報
【発明の開示】
【発明が解決しようとする課題】
【００１５】
静電霧化装置の霧化水を、冷却装置の低温部への周辺空気からの結露でまかなう方式は、使用者に霧化水の補給の負担をかけないので使用者にとって好ましい方式であるが、次の点について検討しなければならない。つまり、ペルチェ素子での結露量と静電霧化装置での霧化能力が多くの条件の時に一致しないことである。ペルチェ素子での結露量が静電霧化装置での霧化能力より小さい場合は、ペルチェ素子で結露した量のうちから静電霧化装置で霧化に使われるので、特に大きな問題にはならない。
【００１６】
しかし、ペルチェ素子での結露量が静電霧化装置での霧化能力より大きい場合、即ち、過剰に水が生成される場合が問題である。こうなると、ペルチェ素子での結露水の一部が静電霧化されないで、ペルチェ素子の冷却面から霧化部までの導水経路中に保持される。保持できる量には限りがあるので、限界を超えると導水経路中の何処からか水滴が落ち、周囲を濡らすことになる。このような状態が長く続くと終には空気調和機から室内等に漏れて壁を濡らし、床に落ち、染みを作ったりして室内を汚す。
【００１７】
特許文献１乃至３の何れの文献も、空気調和機にペルチェ素子を取り付ける場合の低温部の露処理については言及していない。
【００１８】
従って、湿度が高い等して過剰に水が生成された時でも室内を清潔な環境に保ったまま、エアコンの据え付け周辺の床や壁を汚すことなく、脱臭効果のある帯電した微細粒の水を連続的に発生させるものが望まれる。
【００１９】
本発明の目的は、室内機内部或いは室内機周辺を結露水で汚すことのない静電霧化装置を搭載した空気調和機を提供することにある。
【課題を解決するための手段】
【００２０】
本発明の目的は、
ペルチェ素子を有する静電霧化装置を備えた空気調和機において、
前記ペルチェ素子の冷却部の下方に配設された霧化ドレン皿と、
前記霧化ドレン皿に落ちた水を排出する霧化ドレン管とを備えることにより達成される。
【００２１】
また、本発明の目的は、
圧縮機，第１室内熱交換器，除湿絞装置，第２室内熱交換器，冷暖房絞装置，室外熱交換器を順次接続した冷凍サイクルを備えた空気調和機において、
前記室外熱交換器と前記冷暖房絞装置との間の点（Ａ）と、前記第１室内熱交換器と前記除湿絞弁装置との間の点（Ｂ）とを連通する連通路と、
前記連通路に流れる冷媒流を絞ることができる霧化弁と、
前記点（Ｂ）と前記霧化弁との間に配設された結露板と、
前記結露板に結露した結露水を霧化して放出する静電霧化装置と、
前記下方に配設された霧化ドレン皿と、
前記霧化ドレン皿に落ちた水を排出する霧化ドレン管とを備えることにより達成される。
【発明の効果】
【００２２】
本発明によれば、室内機内部或いは室内機周辺を結露水で汚すことがない。
【発明を実施するための最良の形態】
【００２３】
以下、本発明の実施例について図１から図１５を用いて説明する。図における同一符号は同一物または相当物を示す。
【００２４】
まず、空気調和機の全体構成を、図１，図２を用いて説明する。図１は本発明の実施例の空気調和機の構成図、図２は図１の室内機の側断面図である。
【００２５】
空気調和機１は、室内機２と室外機６とを接続配管８で繋ぎ、室内を空気調和する。室内機２は、筐体ベース２１の中央部に室内熱交換器３３を置き、熱交換器３３の下に熱交換器３３の幅と略等しい長さの横流ファン方式の送風ファン３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調和された空気を吹出す空気吹出し口２９とが上下に設けられている。送風ファン３１１からの吹出し気流を送風ファン３１１の長さに略等しい幅を持つ吹出し風路２９０に流し、吹出し風路２９０の途中に配した左右風向板２９５で気流の左右方向を偏向し、更に、吹出し口２９に配した上下風向板２９１で気流の上下方向を偏向して室内に吹出すことができるようになっている。
【００２６】
筐体ベース２１には、送風ファン３１１，フィルター２３１，２３１′，室内熱交換器３３，露受皿３５，上下風向板２９１，左右風向板２９５等の基本的な内部構造体が取り付けられる。そして、これらの基本的な内部構造体は、筐体ベース２１，化粧枠２３，前面パネル２５からなる筐体２０に内包され室内機２を構成する。
【００２７】
また、前面パネル２５の下部片側には、運転状況を表示する表示部３９７と、別体のリモコン５からの赤外線の操作信号を受ける受光部３９６とが配置されている。
【００２８】
可動パネル２５１は、下部に設けた回動軸を支点として駆動モータにより回動され、空気調和機１の運転時に前側空気吸込み部２３０′を開くように構成されている。これによって、室内空気は、運転時に上側空気吸込み部２３０だけでなく前側空気吸込み部230′からも室内機２内に吸引される。空気調和機１の停止時には、前側空気吸込み部２３０′を閉じるように制御される。
【００２９】
次に全体の動作を説明する。
【００３０】
空気調和機１を運転する時には、電源に接続してリモコン５を操作し、所望の冷房，除湿，暖房等の運転を行う。冷房等の運転の場合、送風ファン３１１の前方の部分の室内熱交換器３３に室内空気を通すため、図２の如く、前面パネル２５の一部を構成する可動パネル２５１を回動させて開く。上側空気吸込み部２３０及び開いた可動パネル２５１の奥の前面パネル２５の前側空気吸込み部２３０′を通して室内熱交換器３３に室内空気を流通させる。
【００３１】
室内機２は、内部の電装品ボックスに制御基板を備え、この制御基板にマイコンが設けられる。このマイコンには、室内温度センサー，室内湿度センサー等の各種のセンサーからの信号が入力されると共に、リモコン５から受光部３９６で受けた操作信号が入力される。このマイコンは、これらの信号に基づいて、室内送風ファン３１１，可動パネル駆動モータ，上下風向板駆動モータ，左右風向板駆動モータ等を制御すると共に、室外機６との通信を司り、室内機２を統括して制御する。
【００３２】
マイコンは、リモコン５からの運転操作信号または自動運転が設定されていれば各種センサーからの信号に基づいて、冷房，暖房，除湿等の運転モードを決定する。この決定に基づいて可動パネル２５１及び上下風向板２９１を動作させて、気流の通路を開放状態にする。つまり、マイコンは、駆動モータを動作させ、上下風向板２９１，左右風向板295をリモコン５からの指示に対応した吹出し角度まで回動する。また、マイコンは、上下風向板２９１の動作に連動して、可動パネル２５１を開く可動パネル駆動モータを動作させる。
【００３３】
次に、マイコンは、室内送風ファン３１１を回転させ、上側空気吸込み部２３０及び前側空気吸込み部２３０′から室内空気を吸込む。吸込んだ室内空気を室内熱交換器３３で温風または冷風にし、あるいは熱交換しないで上下風向板２９１，左右風向板２９５に沿って空気吹出し口２９から吹出させるように制御する。一方、運転を停止する際は、室内送風ファン３１１を停止した後に、可動パネル２５１の駆動モータ及び上下風向板２９１の駆動モータを逆回転させる。このようにして、開の状態から閉の状態に戻すように制御する。
【００３４】
フィルター２３１，２３１′は、吸い込まれた室内空気中に含まれる塵埃を取り除くためのものであり、室内熱交換器３３の吸込側を覆うように配置されている。送風ファン
３１１は横長の横流ファンで構成され、室内空気を空気吸込み口２７から吸い込んで空気吹出し口２９から吹出すように室内機２内の中央に配置されている。室内熱交換器３３は、送風ファン３１１の吸込側に配置され、略逆Ｖ字状に形成されている。
【００３５】
露受皿３５は、室内熱交換器３３の前後両側の下端部下方に配置され、冷房運転時や除湿運転時に室内熱交換器３３に発生する凝縮水を受けるために設けられている。受けて集められた凝縮水は露受皿３５に接続されている主ドレン管３７ａ及びこれに配管されるドレン配管３７を通して室外に排出される。
【００３６】
これらによって、空調される室内空気を流す主風路が形成される。即ち、送風ファン
３１１を運転することで、室内空気は空気吸込み口２７から吸い込まれ、フィルター231，２３１′を介し、室内熱交換器３３にて熱交換された後、空気吹出し口２９から室内に吹出される。
【００３７】
次に、静電霧化装置について図３〜図９を用いて説明する。図３は静電霧化装置の構成を示す模式図である。図４は室内機の前面パネルを取外した斜視図である。図５は霧化ユニットの吹出し風路への取付部斜視図である。図６は吹出し風路を除外した霧化ユニット部の斜視図である。図７は導水経路の説明図である。図８は霧化ドレン処理の説明図である。図９はドレン合流部の取り付け説明図である。
【００３８】
静電霧化装置４２は高電圧発生装置４５０と、高電圧発生装置４５０の高電圧端子451から伸びる導電体４２９と、導電体４２９に霧化接続部４２４で吸水時に電気的に接触する霧化電極４２２及びイオン電極４２８と、霧化電極４２２に供給する水の水源部４４０などで構成される。
【００３９】
この高電圧発生装置４５０で発生させた−３ｋＶ〜−６ｋＶの高電圧を霧化電極４２２及びイオン電極４２８に印加し、霧化電極４２２に水源部４４０から水分を供給することで霧化電極４２２先端から帯電した微細粒の水を放出させ、また、イオン電極４２８からイオンを放出させる。
【００４０】
霧化電極４２２は先端に丸みを帯びた円錐状の霧化部４２２ａと棒状の導水部４２２ｂを形成した多孔質体であり、例えば、ポリエステル樹脂繊維等を含有させて形成する。このように、多孔質体で形成することで、水源部４４０からの水を吸水し、霧化部４２２ａまで運搬する。吸水した水に電圧を印加することで、静電気を与え、帯電した水を霧化部４２２ａの先端から、静電気の反発力で空気中に放出させる、所謂、静電霧化を起こさせる。
【００４１】
導水部４２２ｂとベース部４２８ｂは霧化ハウジング４３１に支持され、且つ、霧化接続部４２４で導電体４２９と電気的に接触している。
【００４２】
実施例では、水源部４４０をペルチェ効果を利用して室内の空気から水分を凝縮させる方式にしており、ペルチェ素子４４１の低温部４４２に室内空気の水分を凝縮させる冷却板４２５を、高温部４４４に外気で冷却される放熱板３３８を設けてある。なお、４４３は絶縁シートである。
【００４３】
冷却板４２５の下部は保水部材４２３と接しており、冷却板４２５上に結露した室内空気の水分を受け、保持する。保水部材４２３の下部には前記の霧化電極４２２の根元にあたる導水部４２２ｂを挿入する孔があり、ここに導水部４２２ｂが挿入され、保水部材
４２３に保持された水分が毛管現象で導水部４２２ｂを通して霧化部４２２ａに供給されるようになっている。
【００４４】
ペルチェ素子の冷却部の下方、つまり、保水部材４２３，導水部４２２ｂの下には霧化ドレン皿４４７が配設されている。これにより、保水部材４２３，導水部４２２ｂからの滴下水を受けている。霧化ドレン皿４４７には霧化ドレン管４４８を接続する接続口447aが設けられ、霧化ドレン皿４４７に落ちてきた水を霧化ドレン管４４８に排出する。
【００４５】
以上のように、静電霧化装置４２の霧化水として、冷却装置の吸熱部への周辺空気からの結露水が供給され、結露水の余剰分を排出する霧化ドレン管４４８の接続口を備えることで、周辺空気の湿度が高い時などに、霧化により消費される量以上の結露を生じたとしても、余剰の結露水は保水部材４２３や導水部４２２ｂから離脱し該接続口に接続した霧化ドレン管４４８から室内機２外に排出される。このため、湿度が高い時でも、室内機
２の内部或いは室内機２の周りを余剰結露水で濡らすことがない。
【００４６】
この接続口４４７ａに接続された霧化ドレン管４４８は、室内熱交換器３３の凝縮水を排出する主ドレン管３７ａに合流部３７ｂで合流しているので、保水部材４２３，導水部４２２ｂからの滴下水は、ドレン配管３７を通して室外に排出される。
【００４７】
このように、霧化ドレン管４４８と室内熱交換器３３での凝縮水を排出する主ドレン管３７ａとを合流させる合流部３７ｂを備えることにより、空気調和機の据付工事の際に必ず行われるドレン工事において、容易に霧化ドレン管４４８を主ドレン管３７ａに接続することができる。従って、湿度が高い時に生ずる余剰結露水を確実に主ドレン管３７ａに合流させて、室外に排出することができる。
【００４８】
また、霧化ドレン管４４８の長さを室内機２外の合流部３７ｂに接続するのに十分な長さとしておけば、合流部３７ｂを、室内機２外で霧化ドレン皿４４７より下方の位置に余裕を持って設けることができる。つまり、水は確実に排水され、室内機２内で漏れることは無い。別の言い方をすれば、霧化ドレン管４４８と主ドレン管３７ａを室内機２内で合流させる必要がなくなるので、主ドレン管３７ａ，霧化ドレン管４４８が室内機２内からは継ぎ目を無くすことができ、合流に伴う配管の凹凸も無い滑らかな配管とすることができる。従って、熱交換器での凝縮水，結露水の余剰分であるドレン水の流れを妨げることが無く、ドレン水は室内機２外へ通じる主ドレン管３７ａ，霧化ドレン管４４８をスムーズに流れることとなる。つまり、ドレン水が霧化ドレン皿に溜って溢れることはない。
【００４９】
また、空気調和機の据付時に、合流部の接続作業を狭い室内機内でする必要もなくなるので、接続作業を確実に行うことができる。接続作業のミスによるドレン水の漏れなどの不具合が生ずるリスクを軽減でき、延いてはドレン水が確実に外部へ排出される。
【００５０】
送風ファン３１１を駆動し、静電霧化装置４２を運転して、高電圧発生装置４５０からの負の高電圧を霧化電極４２２及びイオン電極４２８に印加する。
【００５１】
このとき、イオン電極４２８から周辺の大気に向けてコロナ放電が起こり、電子が放出され、イオンが発生する。このイオンは吹出し風路２９０に放出され、吹出し気流に乗って室内に吹出し、室内空気の質を向上させる等の効果を発現する。
【００５２】
静電霧化装置４２の運転に連動して、水源部４４０のペルチェ素子４４１への通電が行われ、ペルチェ素子４４１の低温部４４２が冷却され、冷却板４２５が冷たくなる。冷却板４２５の温度が周辺の室内空気の露点温度より下がると、周辺の室内空気の水分が冷却板４２５の上に結露してくる。
【００５３】
この結露を冷却板４２５の下部の保水部材４２３で受け、導水部４２２ｂを介して、霧化部４２２ａまで毛管現象で運搬する。水が霧化部４２２ａまで到達すると霧化接続部
４２４に印加されている高電圧により、静電霧化が始まり、帯電した微細粒の水が吹出し風路２９０に放出され、吹出し気流に乗って室内に吹出される。
【００５４】
また、実施例の場合、ペルチェ素子４４１を冷却する放熱板３３８は外気導入機構３２の外気吸込み風路３２８ｂに面している。このため、放熱板３３８が導入外気で強制的に冷却され、冷却板４２５を確実に周辺の室内空気の露点温度以下に制御することができる。ペルチェ素子４４１は放熱面の温度を下げないと、冷却面の温度も下がり難いという特性を有しており、逆に放熱面の温度を下げれば冷却面の温度も下がり易いという特性を有しているからである。
【００５５】
このとき、冷却板４２５に結露する量が、導水部４２２ｂの導水能力や霧化部４２２ａでの霧化能力より小さい場合は、結露した水分のほぼ全量が保水部材４２３から導水部
４２２ｂを通って霧化部４２２ａに達し、霧化部４２２ａで霧化され、空気中に放出される。
【００５６】
しかし、冷却板４２５に結露する量が、導水部４２２ｂの導水能力や霧化部４２２ａでの霧化能力より大きい場合は、結露した水分の一部が霧化されずに保水部材４２３から霧化部４２２ａまでの導水経路の途中に蓄えられる。この蓄えられた水分の一部は保水部材４２３，導水部４２２ｂ，霧化部４２２ａの表面から蒸発によって再び空気中に戻るが、他の一部は下部に設けられた霧化ドレン皿４４７に落ち、前述のように接続口４４７ａから霧化ドレン管４４８，合流部３７ｂ，ドレン配管３７を通って室外に排出される。
【００５７】
このように、周囲の温湿度条件などで冷却板４２５への結露の量が導水部４２２ｂの導水能力や霧化部４２２ａでの霧化能力より大きい場合でも、余剰の結露水が空気調和機の外に滴下して床を濡らしたり、壁を汚したりすることが無い。
【００５８】
次に、外気導入機構３２について図１０，図１１を参照しながら説明する。図１０は室内機の化粧枠を取外し、左方向から見た斜視図である。図１１は室内機の外気導入機構部断面図である。図１２はペルチェ素子放熱部の分解斜視図である。
【００５９】
外気導入機構３２は、室内機２内の一側部に配置される。具体的には、外気導入機構
３２は、送風ファン３１１用の送風モータ３１３とは反対側に組み込まれている。
【００６０】
外気導入機構３２は、新鮮な室外空気を取込む外気導入機構の吸込み口３２５を後部に有している。そして、外気導入機構の吸込み口３２５には外気風路３９が接続され、この外気風路３９が室内機２と室外機６を接続する接続配管８と一緒に家屋の配管穴を貫通して室外に引き出され、外気風路３９の先端が外気に開放され、接続配管８は室外機６に接続される。
【００６１】
外気導入機構３２には給気運転と運転停止の状態がある。
【００６２】
給気運転では室外空気が吸込まれ、外気吸込み風路３２８ｂの途中に置かれた外気フィルター３２７ｂで粒径１０μｍ以上の塵埃を９９.９％ に近い高効率で捕集し、清浄な空気として室内に吹出す。このような外気フィルター３２７ｂとしては、例えば、帯電フィルターに脱臭機能も付加したものが知られている。このように、外気フィルター３２７ｂで空気中に含まれている微小な塵埃と臭気とが取除かれ、外気導入ファン３２１に吸込まれる。また、運転停止時には、外気導入ファン３２１が停止し、給気運転が止まる。
【００６３】
外気フィルター３２７ｂの収納部２８４ｂは、集塵ボックス２８４の後部に設けられている。外気吸込み風路３２８ｂは室内機２本体内の後方から前方に伸び、屈曲して外気フィルター３２７ｂを通って上方の外気導入ファン３２１に向かっている。外気吸込み風路３２８ｂの屈曲部の風路壁の一部は前述したペルチェ素子４４１の放熱板３３８で構成され、ペルチェ素子４４１の高温部４４４の熱を導入外気に放熱する構造となっている。
【００６４】
以上の実施例では、水源部４４０をペルチェ素子４４１を用いて構成したが、これを、冷凍サイクルの低圧配管を利用し、そこに結露する水を霧化電極４２２に供給するようにしても良い。これを、図１３〜図１５を用いて説明する。
【００６５】
図１３は水源部を空気調和機の冷凍サイクルの低温部で構成する場合の暖房霧化運転時の冷凍サイクル図である。
【００６６】
図１４は水源部を空気調和機の冷凍サイクルの低温部で構成する場合の冷房霧化運転時の冷凍サイクル図である。
【００６７】
図１５は水源部を空気調和機の冷凍サイクルの低温部で構成する場合の除湿霧化運転時の冷凍サイクル図である。
【００６８】
図１３において、７５は圧縮機、７２は冷媒流路切換弁、３３ａは室内側に設置され、暖房時に加熱器となり、冷房時、除湿時に冷却器となる第一熱交換器、３４は除湿絞り装置、３３ｂは室内側に設置され、暖房時，除湿時に加熱器となり、冷房時に冷却器となる第二熱交換器、７４は冷暖房絞り装置、７３は室外熱交換器、７６はアキュムレータである。つまり、この空気調和機は、圧縮機７５，第１室内熱交換器３３ａ，除湿絞装置３４，第２室内熱交換器３３ｂ，冷暖房絞装置７４，室外熱交換器７３を順次接続した冷凍サイクルを備えている。
【００６９】
７７８，７７９は第一熱交換器３３ａと除湿絞り装置３４の途中であるＢ点から分岐し、冷却管７７７に接続される霧化絞り装置、及び、逆止弁である。逆止弁７７９は冷却管７７７から第一熱交換器３３ａ方向に冷媒が流れる場合にこれを許容し、逆方向に流れる場合はこれを許容しない。冷却管７７７の適宜な位置に結露板７７７ａが取り付けられ、結露板７７７ａの下部が前述の保水部材４２３に接触している。７７６は冷暖房絞り装置
７４と室外熱交換器７３の途中であるＡ点から分岐し、冷却管７７７に至る途上に設けられた霧化弁であり、絞り機能を有している。
【００７０】
暖房霧化運転時は、冷媒流路切換弁７２を図１３のように暖房側にし、除湿絞り装置
３４と霧化弁７７６を全開にし、冷暖房絞り装置７４で主回路の冷媒を制御する。圧縮機７５を運転すると、冷媒は図１３の矢印の如く流れ、室内を暖房すると共に、霧化絞り装置７７８で低圧になった冷媒が冷却管７７７に取り付けられた結露板７７７ａを冷却し周辺の室内空気の水分を結露させる。これにより、前述と同様に結露板７７７ａに結露した水が保水部材４２３を介して霧化電極４２２に供給される。
【００７１】
冷房霧化運転時は図１４のように、冷媒流路切換弁７２を冷房側にし、除湿絞り装置
３４を全開にし、霧化弁７７６を絞って、冷却管７７７に流れる冷媒を制御し、冷暖房絞り装置７４で主回路の冷媒を制御する。圧縮機７５を運転すると、冷媒は図１４の矢印の如く流れ、室内を冷房すると共に、霧化弁７７６で低圧になった冷媒が冷却管７７７に取り付けられた結露板７７７ａを冷却する。これにより、前述と同様に結露板７７７ａに結露した水が保水部材４２３を介して霧化電極４２２に供給される。
【００７２】
除湿霧化運転時は図１５のように、冷媒流路切換弁７２を冷房側にし、冷暖房絞り装置７４を全開にし、霧化弁７７６を絞って、冷却管７７７に流れる冷媒を制御し、除湿絞り装置３４で主回路の冷媒を制御する。圧縮機７５を運転すると、冷媒は図１５の矢印の如く流れ、室内を除湿すると共に、霧化弁７７６で低圧になった冷媒が冷却管７７７に取り付けられた結露板７７７ａを冷却する。これにより、前述と同様に結露板７７７ａに結露した水が保水部材４２３を介して霧化電極４２２に供給される。
【００７３】
このように、空気調和機１の冷凍サイクルを使用して、外部から水を供給すること無しに、静電霧化運転が可能になる。
【００７４】
それ以外の部分については先の実施例と同様である。
【図面の簡単な説明】
【００７５】
【図１】空気調和機の構成図。
【図２】室内機の側断面図。
【図３】静電霧化装置の構成を示す模式図。
【図４】室内機の前面パネルを取外した斜視図。
【図５】霧化ユニットの吹出し風路への取付部斜視図。
【図６】吹出し風路を除外した霧化ユニット部の斜視図。
【図７】導水経路の説明図。
【図８】霧化ドレン処理の説明図。
【図９】ドレン合流管の取付説明図。
【図１０】室内機の化粧枠を取外し、左方向から見た斜視図。
【図１１】室内機の外気導入機構部断面図。
【図１２】ペルチェ素子放熱部の分解斜視図。
【図１３】水源部を空気調和機の冷凍サイクルの低温部で構成する場合の暖房霧化運転時の冷凍サイクル図。
【図１４】水源部を空気調和機の冷凍サイクルの低温部で構成する場合の冷房霧化運転時の冷凍サイクル図。
【図１５】水源部を空気調和機の冷凍サイクルの低温部で構成する場合の除湿霧化運転時の冷凍サイクル図。
【符号の説明】
【００７６】
１  空気調和機
２  室内機
５  リモコン
６  室外機
８  接続配管
２０  筐体
２１  筐体ベース
２３  化粧枠
２５  前面パネル
２７  空気吸込み口
２９  空気吹出し口
３２  外気導入機構
３３  室内熱交換器
３３ａ  第一熱交換器
３３ｂ  第二熱交換器
３４  除湿絞り装置
３５  露受皿
３７  ドレン配管
３７ａ  主ドレン管
３７ｂ  合流部
３９  換気風路
４２  静電霧化装置
７２  冷媒流路切換弁
７３  室外熱交換器
７４  冷暖房絞り装置
７５  圧縮機
７６  アキュムレータ
２３０，２３０′  空気吸込み部
２３１，２３１′  フィルター
２５１  可動パネル
２８４  集塵ボックス
２９０  吹出し風路
２９０ｃ  吹出し風路側壁
２９１  上下風向板
２９５  左右風向板
３１１  送風ファン
３１３  送風モータ
３２１  外気導入ファン
３２５  外気導入機構吸込み口
３２６  外気導入機構吹出し口
３２７ｂ  外気フィルター
３２８ｂ  外気吸込み風路
３２８ｃ  外気風路接続部
３３８  外気風路放熱板
３９６  受光部
３９７  表示部
４２２  霧化電極
４２２ａ  霧化部
４２２ｂ  導水部
４２３  保水部材
４２４  霧化接続部
４２５  冷却板
４２８  イオン電極
４２８ａ  針状部
４２８ｂ  ベース部
４２９  導電体
４３０  放出部
４３１  霧化ハウジング
４３８  安全環
４４０  水源部
４４１  ペルチェ素子
４４２  低温部
４４３  絶縁シート
４４４  高温部
４４７  霧化ドレン皿
４４７ａ  接続口
４４８  霧化ドレン管
４５０  高電圧発生装置
４５１  高電圧端子
４５２  接地端子
７７６  霧化弁
７７７  冷却管
７７７ａ  結露板
７７８  霧化絞り装置
７７９  逆止弁
【図１】
2008190813.tif 000003
【図２】
2008190813.tif 000004
【図３】
2008190813.tif 000005
【図４】
2008190813.tif 000006
【図５】
2008190813.tif 000007
【図６】
2008190813.tif 000008
【図７】
2008190813.tif 000009
【図８】
2008190813.tif 000010
【図９】
2008190813.tif 000011
【図１０】
2008190813.tif 000012
【図１１】
2008190813.tif 000013
【図１２】
2008190813.tif 000014
【図１３】
2008190813.tif 000015
【図１４】
2008190813.tif 000016
【図１５】
2008190813.tif 000017